(57)【要約】【課題】柱の部材端部の回転性能を向上させつつ、柱の回転剛性および靭性能を向上できる壁柱構造を提供すること。【解決手段】長方形断面を有する鉄筋コンクリート造の壁柱１０の構造であって、この壁柱１０の柱脚部でかつ水平断面視で長辺方向両端側には、壁柱１０の下端面から上方に向かうに従って柱断面積が増加するテーパ２０が形成され、壁柱１０のテーパ２０が形成された絞り部１１の水平断面の長辺方向両端部には、それぞれ、端部軸方向鉄筋３１と、これら端部軸方向鉄筋３１を囲んで配置された拘束せん断補強筋４２と、が設けられる。【選択図】図３
2015134992.tif 000002
【特許請求の範囲】
【請求項１】
長方形断面を有する鉄筋コンクリート造の壁柱の構造であって、
当該壁柱の鉛直方向の部材端部でかつ水平断面視で長辺方向両端部には、前記壁柱の部材端部から鉛直方向中央部に向かうに従って柱断面積が増加するテーパが形成され、
当該テーパが形成された部分において、前記部材端部の水平断面の長辺方向両端部には、それぞれ、太径軸方向鉄筋と、当該太径軸方向鉄筋を囲んで配置された拘束せん断補強筋と、が設けられることを特徴とする壁柱構造。
【請求項２】
前記壁柱には、軸方向に延びる拘束軸方向鉄筋および周縁部軸方向鉄筋が設けられ、当該拘束軸方向鉄筋および周縁部軸方向鉄筋は、前記壁柱内に定着されることを特徴とする請求項１に記載の壁柱構造。
【請求項３】
前記太径軸方向鉄筋は、当該太径軸方向鉄筋に近い方から、環状の前記拘束せん断補強筋、第２せん断補強筋、およびせん断補強筋により三重に囲まれていることを特徴とする請求項１または２に記載の壁柱構造。
【請求項４】
請求項１から３のいずれかに記載の壁柱構造を備えることを特徴とする建物。
【発明の詳細な説明】
【技術分野】
【０００１】
本発明は、壁柱の構造およびこの壁柱を備えた建物に関する。
【背景技術】
【０００２】
従来より、地震時の鉄筋コンクリート柱の損傷を低減するため、柱脚部の柱断面積を減少させて、柱の変形性能つまり回転性能を向上させることが提案されている（特許文献１参照）。
【０００３】
具体的には、柱脚部において、柱の断面積を下方に向かうに従って減少させる。また、この柱断面積が減少する部分には、柱と下部構造体に定着する軸方向鉄筋を設ける。
この提案によれば、柱と下部構造体とが半剛接合となるから、地震時における柱脚部の回転変形に伴う損傷を抑えて、柱の回転性能を向上できる。
【先行技術文献】
【特許文献】
【０００４】
【特許文献１】特開２００９−０７９３９７号公報
【発明の概要】
【発明が解決しようとする課題】
【０００５】
しかしながら、上述の提案では、回転性能は向上するものの、柱部材の回転剛性(曲げ剛性)が低下することになる。また、地震時に柱に曲げモーメントが作用すると、水平断面の端部に軸方向鉄筋を配した場合、圧縮側の軸方向鉄筋が座屈し易く、コンクリートのみの抵抗となり、地震エネルギの吸収が小さくなる。したがって、柱の回転剛性（曲げ剛性）、さらには、靭性能（エネルギ吸収性能）をより向上させることが要請されていた。
【０００６】
特に、水平断面が長方形となる壁柱では、柱の回転剛性(曲げ剛性)は、短辺方向に比べて長辺方向が大きくなるが、変形性能は、短辺方向に比べて長辺方向が劣る。したがって、地震により、あらゆる方向から外荷重が作用した場合、柱脚部の長辺方向端部のコンクリートや鉄筋に損傷が集中する。したがって、壁柱については、靭性能の向上が特に要請されている。
【０００７】
本発明は、柱の部材端部の回転性能を向上させつつ、柱の回転剛性および靭性能を向上できる壁柱構造を提供することを目的とする。
【課題を解決するための手段】
【０００８】
請求項１に記載の壁柱構造は、長方形断面を有する鉄筋コンクリート造の壁柱（例えば、後述の壁柱１０、１０Ａ、１０Ｂ、１０Ｃ）の構造であって、当該壁柱の鉛直方向の部材端部でかつ水平断面視で長辺方向両端部には、前記壁柱の部材端部から鉛直方向中央部に向かうに従って柱断面積が増加するテーパ（例えば、後述のテーパ２０）が形成され、前記壁柱のテーパが形成された部分（例えば、後述の絞り部１１）において、前記部材端部の水平断面の長辺方向両端部には、それぞれ、太径軸方向鉄筋（例えば、後述の端部軸方向鉄筋３１、３１Ａ、３１Ｂ）と、当該太径軸方向鉄筋を囲んで配置された拘束せん断補強筋（例えば、後述の拘束せん断補強筋４２）と、が設けられることを特徴とする。
【０００９】
この発明によれば、壁柱の長さ鉛直方向の部材端部にテーパを設けて、この壁柱の部材端部から鉛直方向中央部に向かうに従って柱断面積を増加させた。
地震時には、この壁柱に曲げモーメントおよびせん断力が作用するが、この地震時の曲げモーメントにより、壁柱の端面の一部は圧縮応力が生じる圧縮領域となる。このとき、圧縮領域の近傍に周辺領域が確保され、この周辺領域の一部は、コンクリートを拘束する拘束領域となる（今井他、ＲＣ部材端部におけるコンクリートの圧縮特性と曲げ耐力、日本建築学会構造系論文集、第５８７号ｐｐ．１８９−１９６、２００５．１発行を参照）。その結果、圧縮領域のコンクリートが圧壊しにくくなるので、柱の部材端部の回転に伴う柱躯体の損傷を抑えて、部材端部の回転角が大きくなっても安定して耐力を確保できる。また、このように、柱を扁平形状としても安定した回転性能が得られるため、ダンパー等と組み合わせた架構を構成することも可能である。
【００１０】
また、テーパを設けていない部分は、テーパを設けた部分に比べて、水平断面積が大きくなるので、保持するせん断応力度が小さくなり、せん断ひび割れによる損傷を抑えることができる。
また、壁柱は、テーパを設けた部分においても、水平断面が正方形状や円形状である一般的な柱に比べて、水平断面が扁平であるため、高い回転剛性を維持できる。
【００１１】
また、テーパが形成された部分の水平断面の長辺方向両端部のそれぞれに太径軸方向鉄筋を設け、この太径軸方向鉄筋を拘束せん断補強筋で囲んだ。よって、地震時の曲げモーメントにより、太径軸方向鉄筋に圧縮力が作用すると、この拘束せん断補強筋で囲まれた部分では、太径軸方向鉄筋がこの拘束せん断補強筋により拘束され、引張だけでなく圧縮においても降伏させることができ、効率的かつ経済的にエネルギ吸収が可能となる。
【００１２】
これは、拘束せん断補強筋による拘束および壁柱の水平断面の変化による強拘束により、歪み量が大きくなるにもかかわらず、コンクリートが圧壊せずに安定的に圧縮応力を負担できるため、太径軸方向鉄筋が座屈せず、圧縮降伏する程度に歪み量が大きい領域まで安定的に抵抗するからである。
【００１３】
特に、長辺方向両端部の軸方向鉄筋を太径としたので、この太径の軸方向鉄筋が拘束せん断補強筋で拘束されて、この軸方向鉄筋が圧縮力を受けた場合にも、座屈することなく安定的に降伏してエネルギを吸収できる。
よって、高い回転剛性（曲げ剛性）と優れた靭性能（エネルギ吸収性能）を有する柱構造を提供できる。その結果、地震時の柱脚部の損傷を低減できる。
【００１４】
請求項２の壁柱構造は、前記壁柱には、軸方向に延びる拘束軸方向鉄筋（例えば、後述の拘束軸方向鉄筋３２）および周縁部軸方向鉄筋（例えば、後述の周縁部軸方向鉄筋３３）が設けられ、当該拘束軸方向鉄筋および周縁部軸方向鉄筋は、前記壁柱内に定着されることを特徴とする。
【００１５】
請求項３の壁柱構造は、前記太径軸方向鉄筋は、当該太径軸方向鉄筋に近い方から、環状の前記拘束せん断補強筋、第２せん断補強筋（例えば、後述の第２せん断補強筋４１）、およびせん断補強筋（例えば、後述のせん断補強筋４０）により三重に囲まれていることを特徴とする。
【００１６】
この発明によれば、強拘束領域Ｃでは、太径軸方向鉄筋が中央付近に配置された矩形状のコンクリート体を、環状の拘束せん断補強筋、第２せん断補強筋、およびせん断補強筋により三重に囲むことで拘束するので、コンクリート体の損傷やひび割れの発生を抑止できる。
【００１７】
ここで、前記太径軸方向鉄筋は、前記壁柱の部材端部の水平断面を貫通して、当該壁柱に接合される躯体（例えば、後述の支持躯体４）に定着されることが好ましい。
【００１８】
部材端部の水平断面での応力伝達は、太径軸方向鉄筋が負担する必要がある。そこで、この発明によれば、太径軸方向鉄筋を、前記壁柱の部材端部の水平断面を貫通して、当該壁柱に接合される躯体に定着させた。これにより、部材端部の水平断面での応力伝達を太径軸方向鉄筋が負担できる。
【００１９】
また、本発明の壁柱構造は、前記壁柱のテーパが形成された部分の長辺方向中央部には、第２の太径軸方向鉄筋（例えば、後述の中央部軸方向鉄筋３０、３０Ａ、３０Ｂ）が設けられることが好ましい。
【００２０】
この発明によれば、壁柱のテーパが形成された部分の長辺方向中央部に、第２の太径軸方向鉄筋を設けた。この中央部の第２の太径軸方向鉄筋は、両端部の太径軸方向鉄筋と異なり、圧縮応力により降伏させないため、柱の部材端部の回転を元に戻す(復元する)効果を発揮できるので、建物全体の残留変形を小さくできる。
【発明の効果】
【００２１】
本発明によれば、柱の部材端部の回転性能を向上させつつ、柱の回転剛性および靭性能を向上できる。
【図面の簡単な説明】
【００２２】
【図１】本発明の第１実施形態に係る壁柱構造が適用された建物の平面図である。
【図２】前記実施形態に係る壁柱の柱脚部の正面図、側面図、および見上げ図である。
【図３】前記実施形態に係る壁柱の柱脚部の側断面図である。
【図４】図４のＡ−Ａ断面図である。
【図５】図４のＢ−Ｂ断面図である。
【図６】前記実施形態に係る壁柱に曲げモーメントが作用した場合の応力分布を示す図である。
【図７】前記実施形態に係る壁柱に水平荷重が作用した場合の材端回転角を示す図である。
【図８】本発明の第２実施形態に係る壁柱の柱脚部の側断面図である。
【図９】図８のＣ−Ｃ断面図である。
【図１０】図８のＤ−Ｄ断面図である。
【図１１】本発明の変形例に係る壁柱の柱脚部の正面図、側面図、および見上げ図である。
【図１２】本発明の別の変形例に係る壁柱の柱脚部の正面図、側面図、および見上げ図である。
【発明を実施するための形態】
【００２３】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る壁柱構造が適用された建物１の平面図である。
この建物１は、建物の略中央に配置されたコア架構２と、建物外周に沿って設けられた外周架構３と、を備える。
外周架構３は、建物外壁面に沿って所定間隔おきに設けられた鉄筋コンクリート造の壁柱１０を備える。
【００２４】
図２は、壁柱１０の柱脚部の正面図、側面図、および見上げ図である。図３は、壁柱１０の柱脚部の側断面図である。図４は、図３のＡ−Ａ断面図である。図５は、図３のＢ−Ｂ断面図である。
壁柱１０は、長方形断面を有しており、支持躯体４の上に設けられている。この壁柱１０の柱脚部でかつ水平断面視で長辺方向両端側には、壁柱１０の部材端部である下端面から鉛直方向中央部に向かうに従って、つまり、上方に向かうに従って柱断面積が増加する直線状のテーパ２０が形成されている。
このテーパ２０の角度は、水平面に対して４５度以下が好ましく、ここでは３０度となっている。
【００２５】
以下、壁柱１０のうちテーパ２０が形成された部分を、絞り部１１とし、それ以外の部分を、一般部１２とする。
絞り部１１の下端では、水平断面における長辺の短辺に対する比は、１．５〜５．０程度が好ましい。また、一般部１２では、水平断面における長辺の短辺に対する比は、約３．０以上が好ましい。
【００２６】
壁柱１０は、軸方向に延びて支持躯体４に定着される第２の太径軸方向鉄筋としての中央部軸方向鉄筋３０、太径軸方向鉄筋としての端部軸方向鉄筋３１、および細経の拘束軸方向鉄筋３２と、軸方向に延びて支持躯体４に定着されない細経の周縁部軸方向鉄筋３３と、一般部１２に鉛直方向に所定間隔おきに設けられたせん断補強筋４０と、一般部１２の絞り部１１寄りの部分に鉛直方向に所定間隔おきに設けられた第２せん断補強筋４１と、絞り部１１に鉛直方向に所定間隔おきに設けられた拘束せん断補強筋４２と、を備える。
【００２７】
中央部軸方向鉄筋３０は、１本であり、絞り部１１を貫通して支持躯体４に定着される。この中央部軸方向鉄筋３０は、水平断面視で、絞り部１１の長辺方向中央部でかつ短辺方向中央部に配置されている。
【００２８】
端部軸方向鉄筋３１は、２本であり、絞り部１１を貫通して支持躯体４に定着される。これら端部軸方向鉄筋３１は、水平断面視で、絞り部１１の長辺方向両端部でかつ短辺方向中央部に配置されている。
【００２９】
拘束軸方向鉄筋３２は、水平断面視で、絞り部１１の周縁部に沿って複数本配置されている。
周縁部軸方向鉄筋３３は、水平断面視で、一般部１２の四隅に配置されている。
【００３０】
以上の太径の軸方向鉄筋３０、３１としては、Ｄ２５〜Ｄ４１程度が好ましく、細径の軸方向鉄筋３２、３３としては、Ｄ１０〜Ｄ１６程度が好ましい。
【００３１】
せん断補強筋４０は、中央部軸方向鉄筋３０、端部軸方向鉄筋３１、拘束軸方向鉄筋３２、および周縁部軸方向鉄筋３３を囲む環状である。
第２せん断補強筋４１は、中央部軸方向鉄筋３０、端部軸方向鉄筋３１、および拘束軸方向鉄筋３２を囲む環状であり、せん断補強筋４０同士の間に設けられる。
拘束せん断補強筋４２は、端部軸方向鉄筋３１および拘束軸方向鉄筋３２を囲んで環状に配置されている。
【００３２】
拘束せん断補強筋４２は、壁柱１０の部材端部から壁柱１０の鉛直方向中央部に向かう所定範囲内に、一定間隔おきに設けられている。
所定範囲とは、地震によって生じる壁柱１０の端部での高圧縮応力状態の強拘束領域を含む鉛直高さであり、壁柱１０の部材端部からの高さである。
【００３３】
この所定範囲は、例えば、絞り部１１の下端の長辺長さ程度としてもよい。つまり、拘束せん断補強筋は、壁柱１０の全長に亘って設ける必要はない。
【００３４】
以上より、端部軸方向鉄筋３１は、この端部軸方向鉄筋３１に近い方から、環状の拘束せん断補強筋４２、第２せん断補強筋４１、およびせん断補強筋４０で三重に囲まれている。
【００３５】
本実施形態によれば、以下のような効果がある。
（１）壁柱１０の柱脚部にテーパ２０を設けて、壁柱１０の下端部から上方に向かうに従って柱断面積を増加させた。
地震時には、この壁柱１０に曲げモーメントおよびせん断力が作用するが、この地震時の曲げモーメントにより、図６に示すように、この壁柱１０の下端面の一部は、圧縮応力が生じる圧縮領域１３Ａとなる。このとき、圧縮領域１３Ａの近傍に周辺領域１３Ｂが確保され、この周辺領域１３Ｂの一部は、コンクリートを拘束する強拘束領域１３Ｃとなる。その結果、圧縮領域１３Ａのコンクリートが圧壊しにくくなるので、柱脚部の回転に伴う柱躯体の損傷を抑えて、柱脚部の回転角が大きくなっても安定して耐力を確保できる。また、このように、柱を扁平形状としても安定した回転性能が得られるため、ダンパー等と組み合わせた架構を構成することも可能である。
【００３６】
また、一般部１２は、絞り部１１に比べて、水平断面積が大きくなるので、保持するせん断応力度が小さくなり、せん断ひび割れによる損傷を抑えることができる。
また、図７に示すように、壁柱１０は、一般部１２および絞り部１１の水平断面が扁平であるため、水平断面が正方形状や円形状である一般的な柱に比べて、高い回転剛性を維持できる。図７は、テーパが形成されていない一般的な壁柱、本発明の壁柱、扁平形状ではない一般的な柱について、水平荷重Ｑと材端回転角Ｒとの関係を示す図である。
【００３７】
また、絞り部１１の長辺方向両端部のそれぞれに太径の端部軸方向鉄筋３１を設け、この端部軸方向鉄筋３１を環状の拘束せん断補強筋４２および拘束軸方向鉄筋３２で囲んだ。よって、地震時の曲げモーメントにより、端部軸方向鉄筋３１に圧縮力が作用すると、この拘束せん断補強筋４２および拘束軸方向鉄筋３２で囲まれた部分では、端部軸方向鉄筋３１が拘束せん断補強筋４２および拘束軸方向鉄筋３２により拘束され、引張だけでなく圧縮においても降伏させることができ、効率的かつ経済的にエネルギ吸収が可能となる。
【００３８】
特に、長辺方向両端部の端部軸方向鉄筋３１を太径としたので、この太径の端部軸方向鉄筋３１が拘束せん断補強筋４２で拘束されて、この軸方向鉄筋３１が圧縮力を受けた場合にも、座屈することなく安定的に降伏してエネルギを吸収できる。
よって、高い回転剛性（曲げ剛性）と優れた靭性能（エネルギ吸収性能）を有する柱構造を提供できる。その結果、地震時の柱脚部の損傷を低減できる。
【００３９】
（２）強拘束領域１３Ｃでは、端部軸方向鉄筋３１が中央付近に配置された矩形状のコンクリート体を、環状の拘束せん断補強筋４２、第２せん断補強筋４１、およびせん断補強筋４０により三重に囲むことで拘束するので、コンクリート体の損傷やひび割れの発生を抑止できる。
また、環状の拘束せん断補強筋４２および第２せん断補強筋４１は、端部危険断面および部材中央断面について、せん断補強効果を有する。
【００４０】
（３）太径の軸方向鉄筋３０、３１を、壁柱１０の部材端部の水平断面を貫通して、この壁柱１０に接合される支持躯体４に定着させた。これにより、部材端部の水平断面での応力伝達を太径の軸方向鉄筋３０、３１が負担できる。
ここで、拘束軸方向鉄筋３２、３２Ａは必ずしも部材端部の水平断面を貫通する必要はない。構造性能および施工上、部材端部の水平断面に拘束軸方向鉄筋３２、３２Ａが不要の場合は、本実施形態のように、太径の軸方向鉄筋３０、３１のみが部材端部の水平断面を貫通して支持躯体４に定着すればよい。
【００４１】
（４）壁柱１０の絞り部１１の長辺方向中央部に、中央部軸方向鉄筋３０を設けた。この中央部軸方向鉄筋３０は、両端部の端部軸方向鉄筋３１と異なり、圧縮応力により降伏させないため、柱脚部の回転を元に戻す(復元する)効果を発揮できるので、建物１全体の残留変形を小さくできる。
【００４２】
（５）中央部軸方向鉄筋３０および端部軸方向鉄筋３１を、壁柱１０の短辺方向中央付近に配置したので、短辺方向の曲げの影響を受けにくく、長辺方向の曲げに抵抗する耐震要素として、役割を明確にした設計が可能となる。
【００４３】
（６）太径の中央部軸方向鉄筋３０および端部軸方向鉄筋３１を、拘束せん断補強筋４２および第２せん断補強筋４１で囲まれた壁柱１０の短辺方向中央部に配置したので、軸方向鉄筋３０、３１の周囲には十分なコンクリート被り厚さを確保でき、かつ、コンクリートをせん断補強筋で拘束することで、軸方向鉄筋３０、３１とその周囲のコンクリートとの間に働くせん断力（付着力）を抑制して、付着割裂ひびわれの発生を抑えることができる。
【００４４】
（７）軸方向鉄筋３０、３１を太径とすることで、鉄筋の全周面で生じる付着応力を小さく抑えることができる。また、太径の軸方向鉄筋３０、３１は、一般的な径の鉄筋に比較して鉄筋断面積が大きいので、鉄筋周囲のコンクリートによる拘束度合いが大きく、また、座屈長さが短くなるから、大きな軸力を負担できる。本実施形態では、太径の軸方向鉄筋３０、３１として、Ｄ２５〜Ｄ４１程度を想定している。
【００４５】
（８）第２せん断補強筋４１を、せん断応力度の大きい絞り部１１近傍のみに集中的に配置すればよいので、せん断補強筋を低減でき、経済的である。
【００４６】
〔第２実施形態〕
図８は、本発明の第２実施形態に係る壁柱１０Ａの柱脚部の側断面図である。図９は、図８のＣ−Ｃ断面図である。図１０は、図８のＤ−Ｄ断面図である。
本実施形態では、壁柱１０Ａの構造が第１実施形態と異なる。
【００４７】
すなわち、壁柱１０Ａは、プレキャストコンクリートであり、中央部軸方向鉄筋３０Ａ、端部軸方向鉄筋３１Ａ、および拘束軸方向鉄筋３２Ａは、支持躯体４に定着していない。
中央部軸方向鉄筋３０Ａおよび端部軸方向鉄筋３１Ａは、絞り部１１において機械式継手３４により、支持躯体４の中央部軸方向鉄筋３０Ｂおよび端部軸方向鉄筋３１Ｂに接合されている。
【００４８】
このようにしても、上述の（１）〜（８）と同様の効果に加えて、以下のような効果がある。
（９）中央部軸方向鉄筋３０Ａおよび端部軸方向鉄筋３１Ａを、水平断面視で、短辺方向中央部に配置したので、機械式継手３４を容易に設けることができ、施工性にも優れる。
【００４９】
なお、本発明は前記実施形態に限定されるものではなく、本発明の目的を達成できる範囲での変形、改良等は本発明に含まれるものである。
【００５０】
例えば、上述の各実施形態では、テーパ２０を、水平断面視で壁柱１０、１０Ａの長辺方向両端部のみに設けたが、これに限らず、図１１に示すように、水平断面視で壁柱１０Ｂの短辺方向両端部にも設けてもよい。このようにすれば、壁柱の短辺方向についても、柱端部の回転に伴う柱躯体の損傷を抑えて、柱端部の回転角が大きくなっても安定して耐力を確保できる。
【００５１】
また、上述の各実施形態では、テーパ２０を直線状としたが、これに限らず、図１２に示すように、半径Ｒの円弧状としてもよい。
【００５２】
また、上述の各実施形態では、端部軸方向鉄筋３１、３１Ａ、３１Ｂを、水平断面両端部にそれぞれ１本ずつ配置し、中央部軸方向鉄筋３０、３０Ａ、３０Ｂを、水平断面中央部に１本のみ設けたが、これに限らず、いずれも複数本配置してもよい。
【００５３】
また、上述の各実施形態では、壁柱１０、１０Ａ、１０Ｂ、１０Ｃを、水平断面で一方向に延びる壁柱としたが、これに限らず、壁柱を水平断面が十字形状となるようにして、平面上で直交する二方向つまりＸＹ方向に設けてもよい。
【００５４】
また、上述の各実施形態では、拘束軸方向鉄筋３２を支持躯体４に定着させたが、これに限らず、拘束軸方向鉄筋を壁柱１０内に定着させて、支持躯体４に定着させなくてもよい。
【符号の説明】
【００５５】
１…建物
２…コア架構
３…外周架構
４…支持躯体
１０、１０Ａ、１０Ｂ、１０Ｃ…壁柱
１１…絞り部
１２…一般部
１３Ａ…圧縮領域
１３Ｂ…周辺領域
１３Ｃ…強拘束領域
２０…テーパ
３０、３０Ａ、３０Ｂ…中央部軸方向鉄筋（第２の太径軸方向鉄筋）
３１、３１Ａ、３１Ｂ…端部軸方向鉄筋（太径軸方向鉄筋）
３２、３２Ａ…拘束軸方向鉄筋
３３…周縁部軸方向鉄筋
３４…機械式継手
４０…せん断補強筋
４１…第２せん断補強筋
４２…拘束せん断補強筋
【図１】
2015134992.tif 000003
【図２】
2015134992.tif 000004
【図３】
2015134992.tif 000005
【図４】
2015134992.tif 000006
【図５】
2015134992.tif 000007
【図６】
2015134992.tif 000008
【図７】
2015134992.tif 000009
【図８】
2015134992.tif 000010
【図９】
2015134992.tif 000011
【図１０】
2015134992.tif 000012
【図１１】
2015134992.tif 000013
【図１２】
2015134992.tif 000014